(57)【要約】      （修正有）【課題】圧縮空気の力で空気エンジンを動かし、走らせる様にした空気自動車を提供する。【解決手段】てこ棒の軸２は引き上げると回転し、引き下げると空回転できる様にする。てこ棒の先端に動滑車７を取り付け、真上に定滑車を取り付ける。定滑車に掛けたワイヤーロープ５を右のクランクシャフト１２に取り付け、左のクランクシャフトに別の定滑車のワイヤーロープを取り付ける。このクランクシャフトを直流モーター１３で回転させることで、クランクシャフトが定滑車のワイヤーロープを左右交互に引き上げ引き下げを繰り返すことで、定滑車のワイヤーロープが動滑車を上下運動させててこ棒の軸２の回転運動ができる。この軸の回転力でエアーコンプレッサー１５を回転させて圧縮空気をつくり貯蔵タンクに貯蔵する。貯蔵した圧縮空気で空気エンジン１６を回転させて動力を生み出す。この動力で車を走らせる。【選択図】図１
0003174524.tif 000002
【実用新案登録請求の範囲】
【請求項１】
同じ長さのてこ棒を二本使用するてこ棒の軸は引き上げると回転し引き下げると空回転できる様にするこれで軸の回転運動ができるてこ棒の先端に動滑車を取り付ける真上に空間をとり定滑車を取り付ける定滑車と動滑車にワイヤーロープを取り付ける定滑車に掛けたワイヤ−ロープを右のクランクシャフトに取り付け左のクランクシャフトに別の定滑車のワイヤーロープを取り付けるこのクランクシャフトを直流モーターで回転させることでクランクシャフトが定滑車のワイヤ−ロープを左右交互に引き上げ引き下げを繰り返すことで定滑車のワイヤーロープが動滑車を上下運動させててこ棒の軸の回転運動ができるこの軸の回転力でエアーコンプレッサーを回転させて圧縮空気をつくり貯蔵タンクに貯蔵する貯蔵した圧縮空気で空気エンジンを回転させて動力を生み出すこの動力で発電機を回転させて発電する発電した電気をバッテリーに充電する又この動力源で車を走らせる。
「以上の構成からなることを特徴とするてこ棒と滑車を組み合わせ空気エンジンを動力源にした空気自動車。」
【考案の詳細な説明】
【技術分野】
【０００１】この考案は、てこ棒と滑車を組み合わせて回転運動をさせる事でてこ棒の力と滑車の力が組み合わされ軸に大きな回転力が生まれるこの回転力でエアーコンプレッサーを回転させて圧縮空気をつくり貯蔵タンクに貯蔵する貯蔵した圧縮空気で空気エンジンを回転させて動力源にして車を走らせる。
【背景技術】
【０００２】従来から、圧縮空気を利用したものは色々あり空気自動車も研究実験も進められていますがまだ欠点も多く実用化には至っていないのが現状である。
【考案の概要】
【考案を解決するための手段】
【０００３】  同じ長さのてこ棒を二本使用するてこ棒の軸は引き上げると回転し引き下げると空回転できる様にするこれで軸の回転運動ができるてこ棒の先端に動滑車を取り付ける真上に空間をとり定滑車を取り付ける定滑車と動滑車にワイヤーロープを取り付ける定滑車に掛けたワイヤ−ロープを右のクランクシャフトに取り付け左のクランクシャフトに別の定滑車のワイヤーロープを取り付けるこのクランクシャフトを直流モーターで回転させることでクランクシャフトが定滑車のワイヤ−ロープを左右交互に引き上げ引き下げを繰り返すことで定滑車のワイヤーロープが動滑車を上下運動させててこ棒の軸の回転運動ができるこの軸の回転力でエアーコンプレッサーを回転させて圧縮空気をつくり貯蔵タンクに貯蔵する貯蔵した圧縮空気で空気エンジンを回転させて動力を生み出すこの動力で発電機を回転させて発電する発電した電気をバッテリーに充電する又この動力源で車を走らせる。
「以上の構成からなることを特徴とするてこ棒と滑車を組み合わせ空気エンジンを動力源にした空気自動車。」
【図面の簡単な説明】
【０００４】
【図１】全体図  てこ棒と滑車を組み合わせ回転運動ができるようにすることでてこ棒の力と滑車の力が組み合わされてこ棒の軸に大きな回転力が生まれるこの軸の回転力でエアーコンプレッサーを回転させて圧縮空気をつくり貯蔵タンクに貯蔵する貯蔵した圧縮空気で空気エンジンを回転させて動力を生み出すこの動力で発電機を回転させて発電する発電した電気をバッテリーに充電する又この動力源で車を走らせる。
【図２】断面図  空気エンジンの作動図  膨張した空気により白い部分が回転する。
【符号の説明】１てこ棒
２てこ棒の軸
３引き上げると回転
４引き下げると空回転
５ワイヤーロープ
６定滑車
７動滑車
８右のクランクシャフト
９左のクランクシャフト
１０回転
１１車輪
１２クランクシャフト
１３直流モーター
１４バッテリー
１５エアーコンプレッサー
１６空気エンジン
１７発電機
１８圧縮空気貯蔵タンク
１９バッテリーに充電
２０圧縮空気
２１動力で車を走らせる
２２バッテリーの電気で直流モーターを回転させる
２３排気口
２４上下運動
【図１】
0003174524.tif 000003
【図２】
0003174524.tif 000004
【手続補正書】
【提出日】平成23年12月30日(2011.12.30)
【手続補正１】
【補正対象書類名】実用新案登録請求の範囲
【補正対象項目名】全文
【補正方法】変更
【補正の内容】
【実用新案登録請求の範囲】
【請求項１】
（１）太陽光発電パネルを取り付ける発電した電気を常時バッテリーに充電できるようにする、
（２）同じ長さのてこ棒を二本使用するてこ棒の軸（支点）はてこ棒の先端を引き上げると軸が回転し、てこ棒の先端を引き下げると軸が空回転できるようにするこれでてこ棒の軸の回転運動ができる、
（３）左右のてこ棒の先端に動滑車を取り付ける真上に空間をとり左右に定滑車を取り付ける左右の定滑車と動滑車に力がでるようにしてワイヤーロープを取り付ける、
（４）右の定滑車に掛けたワイヤーロープを右のクランクシャフトの先端に取り付ける左の定滑車に掛けたワイヤーロープを左のクランクシャフトの先端に取り付けるこのクランクシャフトを直流モーターで回転させることで右のクランクシャフトが右の定滑車のワイヤーロープを引き上げ左のクランクシャフトが左の定滑車のワイヤーロープを引き下げることで左右交互に定滑車のワイヤーロープを引き上げ引き下げを繰り返すことで動滑車がてこ棒の先端を上下運動してこ棒の軸の回転運動ができるこの組み合わせでてこ棒の力と滑車の力が組み合わされててこ棒の軸に大きな回転力が生まれるこの大きな軸の回転力でエアーコンプレッサーを回転させて圧縮空気をつくり下の圧縮空気貯蔵タンクに貯蔵する貯蔵した圧縮空気で空気エンジンを回転させてこの力を動力源にして車を走らせる、
（５）夜間など太陽光発電ができないので空気エンジンの力を利用して発電機を取り付け空気エンジンの力で発電機を回転させて発電する発電した電気をバッテリーに充電できるようにする又外部より充電ができるように充電器を取り付ける、
以上（１）（２）（３）（４）（５）の構成からなることを特徴とする空気自動車。
【手続補正２】
【補正対象書類名】明細書
【補正対象項目名】全文
【補正方法】変更
【補正の内容】
【考案の詳細な説明】
【技術分野】
【０００１】  本考案は、太陽光発電と、てこ棒と滑車を組み合わせ回転運動ができるようにすることで、てこ棒の力と滑車の力が組み合わさり、てこ棒の軸に大きな回転力が生まれる、この回転力でエアーコンプレッサーを回転させて圧縮空気をつくり貯蔵タンクに貯蔵する、この圧縮空気の力で空気エンジンを回転させて、車を走らせることができる。
【背景技術】
【０００２】従来より、空気自動車は夢の車として研究開発がすすめられており、最近実験として一般に公開されましたが走れる距離がわずかで、実用には、ならないと新聞で掲載されており、まだ時間がかかるのが現状である。
【考案の概要】
【考案を解決するための手段】
【０００３】（１）太陽光発電パネルを取り付ける発電した電気を常時バッテリーに充電できるようにする、
（２）同じ長さのてこ棒を二本使用するてこ棒の軸（支点）はてこ棒の先端を引き上げると軸が回転し、てこ棒の先端を引き下げると軸が空回転できるようにするこれでてこ棒の軸の回転運動ができる、
（３）左右のてこ棒の先端に動滑車を取り付ける真上に空間をとり左右に定滑車を取り付ける左右の定滑車と動滑車に力がでるようにしてワイヤーロープを取り付ける、
（４）右の定滑車に掛けたワイヤーロープを右のクランクシャフトの先端に取り付ける左の定滑車に掛けたワイヤーロープを左のクランクシャフトの先端に取り付けるこのクランクシャフトを直流モーターで回転させることで右のクランクシャフトが右の定滑車のワイヤーロープを引き上げ左のクランクシャフトが左の定滑車のワイヤーロープを引き下げることで左右交互に定滑車のワイヤーロープを引き上げ引き下げを繰り返すことで動滑車がてこ棒の先端を上下運動してこ棒の軸の回転運動ができるこの組み合わせでてこ棒の力と滑車の力が組み合わされててこ棒の軸に大きな回転力が生まれるこの大きな軸の回転力でエアーコンプレッサーを回転させて圧縮空気をつくり下の圧縮空気貯蔵タンクに貯蔵する貯蔵した圧縮空気で空気エンジンを回転させてこの力を動力源にして車を走らせる、
［５］  夜間など太陽光発電が発電しないので空気エンジンの力を利用するために発電機を取り付け空気エンジンの力で発電機を回転させて発電する発電した電気をバッテリーに充電できるようにする又外部よりバッテリーに充電ができるように充電器を取り付ける、
以上（１）（２）（３）（４）（５）の構成からなることを特徴とする空気自動車。
【図面の簡単な説明】
【０００４】
【図１】  全体図  太陽光発電と、てこ棒と滑車を組み合わせ、回転運動をさせることでてこ棒の力と滑車の力が組み合わさり、てこ棒の軸（支点）に大きな回転力が生まれる、この軸の回転力でエアーコンプレッサーを回転さて、圧縮空気をつくり下の圧縮空気貯蔵タンクに貯蔵する、貯蔵した圧縮空気で空気エンジンを作動させて、これを動力源で車を走らせることができるようにした空気自動車の全体図。
【図２】  断面図  空気エンジンの作動図。
【符号の説明】
【０００５】１太陽光発電パネル              １８圧縮空気貯蔵タンク
２バッテリーに充電              １９バッテリーの電気で直流モーター
３引き上げると回転                  を回転させる
４引き下げると空回転            ２０排気口
５ワイヤーロープ                ２１動力で車を走らせる
６定滑車                        ２２充電器
７動滑車
８右のクランクシャフト
９左のクランクシャフト
１０回転
１１車輪
１２クランクシャフト
１３直流モーター
１４発電機
１５バッテリー
１６空気エンジン
１７上下運動
【手続補正３】
【補正対象書類名】図面
【補正対象項目名】全図
【補正方法】変更
【補正の内容】
【図１】
0003174524.tif 000005